(57)【要約】【課題】跳ね上げ時の美観に優れると共に荷重支持強度も高いネスティング椅子を提供する。【手段】椅子は前後に嵌め合わせできる枠装置を有している。座３は、クッション２１が張られたインナーシェル２０と、その下方に配置したアウターカバー１７と、インナーシェル２０とアウターカバー１７との間に配置した芯部材２２とで構成されている。芯部材２２が背フレーム２の横向き支軸１６に連結されており、インナーシェル２０とアウターカバー１７とは芯部材２２に離脱不能に保持されている。着座によるモーメントはサポート体１８で支持される。芯部材２２の存在によって高い支持強度を確保でき、また、跳ね上げた状態でアウターカバー１７しか露出しないため美観に優れている。【選択図】図９
2009106422.tif 000002
【特許請求の範囲】
【請求項１】
座と背もたれとこれらが取り付く枠装置とを有しており、前記座を、その後部を中心にして跳ね上げ回動させ得るように枠装置に連結している、という椅子であって、
前記座は、人の着座によって下向きに沈み変形し得る樹脂製のインナーシェルと、前記インナーシェルの上面に張られたクッションと、インナーシェルを下方から覆うアウターカバーとを有している、
椅子。
【請求項２】
前記座のインナーシェルと樹脂製アウターカバーとの間には、インナーシェルに掛かった荷重を支える強度メンバーとしての金属製の芯部材が配置されていてこの芯部材が前記枠装置に回動自在に連結されており、かつ、前記枠装置には、座をその回動中心よりも手前側において下方から支えるサポート体が設けられており、座を倒した状態で前記芯部材の受け部とサポート体とがアウターカバーを介して上下に重なっており、かつ、芯部材の受け部と座のインナーシェルとの間にはインナーシェルの下向き沈み込み変形を許容する空間が空いている、
請求項１に記載した椅子。
【請求項３】
前記枠装置は、座との間に空間を空けて配置された脚と、前記脚から立ち上がって座の左右外側を通って略上向きに延びる背フレームとを有しており、座を跳ね上げると前後に配置した椅子を互いに嵌め合わせできるように脚は前後非対象の形態になっており、更に、前記背フレーム又は脚に、左右横長の前記サポート体が、座の左右縁部よりも内側においてアウターカバーに当るように設けられている、
請求項２に記載した椅子。
【請求項４】
前記背フレームのうち座を挟んだ両側に位置したサイド支柱には、座の芯部材を連結するための横向き支軸が相対向するように設けられている一方、
前記座のアウターカバーは芯部材を下方から覆うように上向き凹部状でかつ左右両側部は湾曲した断面形状になっており、このアウターカバーの左右両側部に、当該アウターカバーを下向きに動かせると前記横向き支軸が入り込む逃がし穴が空いており、前記芯部材はアウターカバーの内側から挿入したボルトによって横向き支軸に連結されている、
請求項３に記載した椅子。
【発明の詳細な説明】
【技術分野】
【０００１】
本願発明は、座を跳ね上げ回動できる椅子に関し、特に、移動自在でかつ前後に並べて嵌め合わせ（ネスティング）できるタイプの非回転式椅子を好適な対象にしている。
【背景技術】
【０００２】
骨組みを金属パイプで構成した背もたれ付き椅子があり、例えば会議室や講演会場を初めとしてオフィスや各種店舗、各種施設（或いは家庭）で広く使用されている。この種の椅子は不使用時には倉庫等に保管しておくことも多く、そこで、前後方向の嵌め合わせ（ネスティング）又は（／及び）上下の積み重ね（スタッキング）が可能になっているものも多い。ネスティングできる椅子の一例が特許文献１に開示されている。
【０００３】
特許文献１において脚は４本足方式になっており、左の前足と後足、及び右の前足と後足とをそれぞれ上水平部で連結し、左右の上水平部を横長ステーで連結し、更に、左右の後足を座よりも上向きに突出させて、この後足の上向き突出部に座と背もたれがそれぞれブラケットを介して取付けられている。座の取付け構造について更に述べると、前後長手で正面視略Ｌ形の座受けブラケットを後足の上向き突出部に跳ね上げ回動自在に取付け、この座受けブラケットに座を固定している。また、座は水平に倒すと上水平部の前部で支持されるようになっている。更に、２本の前足の左右間隔を２本の後足の左右間隔よりも狭めることにより、座を跳ね上げるとネスティングできるようになっている。
【０００４】
特許文献１において、座は、平面視略四角形で上下に開口した座フレームと、座フレームで支持された座プレート（インナーシェル）と、座プレートの上面に張ったクッションとを備えており、座フレームが座受けブラケットに固定されている。つまり、特許文献１において座フレームが着座荷重を支持する強度メンバーとして機能している。
【特許文献１】特開２００１−１２８７７６号公報
【発明の開示】
【発明が解決しようとする課題】
【０００５】
座を跳ね上げできる椅子では、当然のことながら座を跳ね上げると座の裏面が人目に触れることになる。従って、跳ね上げた状態での美観も重要である。しかし、特許文献１では座は跳ね上げた状態で座フレームや座プレート等がむき出しになるため、美観が良いとは言えない。特許文献１において座受けブラケットは金属板製であり、そこで、座受けブラケットをカバーで隠すことで跳ね上げ時の外観向上を図っているが、座フレームや座プレートは露出したままであるため、座全体としての美観に優れているとは言えない。
【０００６】
また、跳ね上げ時においてある程度の美観を確保しようとすると、座プレートや座フレームは美粧処理を施しておかねばならず、すると、座の機能が制約を受けたり加工に手間が掛かったりする虞がある。
【０００７】
本願発明はこのような現状に鑑み成されたものであり、座を跳ね上げた状態でも美観に優れている等の改良点を有する椅子の提供を課題としている。
【課題を解決するための手段】
【０００８】
本願発明に係る椅子は、座と背もたれとこれらが取り付く枠装置とを有しており、前記座を、その後部を中心にして跳ね上げ回動させ得るように枠装置に連結している、という基本構成になっている。そして、請求項１の発明では、前記座は、人の着座によって下向きに沈み変形し得る樹脂製のインナーシェルと、前記インナーシェルの上面に張られたクッションと、インナーシェルを下方から覆うアウターカバーとを有している。
【０００９】
本願発明は様々の構成を含んでおり、その例を請求項２〜４に挙げている。このうち請求項２の発明は、請求項１において、前記座のインナーシェルと樹脂製アウターカバーとの間には、インナーシェルに掛かった荷重を支える強度メンバーとしての金属製の芯部材が配置されていてこの芯部材が前記枠装置に回動自在に連結されており、かつ、前記枠装置には、座をその回動中心よりも手前側において下方から支えるサポート体が設けられており、座を倒した状態で前記芯部材の受け部とサポート体とがアウターカバーを介して上下に重なっており、かつ、芯部材の受け部と座のインナーシェルとの間にはインナーシェルの下向き沈み込み変形を許容する空間が空いている。
【００１０】
請求項３の発明は請求項２をより具体化したもので、この発明では、前記枠装置は、座との間に空間を空けて配置された脚と、前記脚から立ち上がって座の左右外側を通って略上向きに延びる背フレームとを有しており、座を跳ね上げると前後に配置した椅子を互いに嵌め合わせできるように脚は前後非対象の形態になっており、更に、前記背フレーム又は脚に、左右横長の前記サポート体が、座の左右縁部よりも内側においてアウターカバーに当るように設けられている。
【００１１】
請求項４の発明は、請求項３において、前記背フレームのうち座を挟んだ両側に位置したサイド支柱には、座の芯部材を連結するための横向き支軸が相対向するように設けられている一方、前記座のアウターカバーは芯部材を下方から覆うように上向き凹部状でかつ左右両側部は湾曲した断面形状になっており、このアウターカバーの左右両側部に、当該アウターカバーを下向きに動かせると前記横向き支軸が入り込む逃がし穴が空いており、前記芯部材はアウターカバーの内側から挿入したボルトによって横向き支軸に連結されている。
【発明の効果】
【００１２】
本願発明では、座の下面部はアウターカバーで構成されているため、座を跳ね上げた状態ではアウターカバーが人目に触れるのみでインナーシェルのような内部部材が人目に触れることはなく、このため跳ね上げ時の美観を格段に向上できる。
【００１３】
また、インナーシェルは外部からは見えないため、インナーシェルには美観を気にすることなく様々の加工・処理を施すことができる。例えば、クッション性・フィット性を高めるためのスリットを形成することができる。また、インナーシェルに多数の穴やスリットを形成した状態でクッションをインサート成形することにより、座の加工の手間を軽減できる。更に、請求項２のようにインナーシェルとアウターカバーとの間に強度メンバーとしての芯部材を配置できるが、この場合、芯部材は外部から見えないためその形状や素材等は美観を考慮することなく任意に設定することができ、かつ、塗装のような美粧処理も省略できる。このように、本願発明によると、座の跳ね上げ時の美観を確保しつつ椅子の機能を向上できるのである。
【００１４】
アウターカバーに強度メンバーとしての機能を持たせて、インナーシェルに作用した着座荷重がアウターカバーを介して枠装置で支持される構造を採用することも可能であるが、請求項２のように強度メンバーとしての芯部材を設けると、芯部材とアウターカバーとで荷重支持機能と美粧機能とを分担できるため、椅子の設計の自由性を格段に広げることができる。また、座を水平状に倒した状態で芯部材とサポート体との間にアウターカバーが挟まっているため、着座による荷重（例えば曲げモーメント）がアウターカバーに大きく作用することはなく、このため、アウターカバーを薄肉化・軽量化することができる。
【００１５】
特許文献１では、脚は前足の上端と後足の上端とが繋がって上水平部を有していてこの上水平部で座の左右側部を支持しており、従って、脚は座の左右側部の下面まで延びている。しかし、この構成では、座を跳ね上げに際しては人は座の周囲のうち上水平部よりも前方の部位に手を掛けねばならず、また、座を倒すに際しても、座と上水平部とで指を挟まれないように人は座の周囲のうち上水平部よりも前方の部位に手を掛けねばならず、このため座の回動操作に少し面倒な面があった。
【００１６】
これに対して本願の請求項３の構成を採用すると、座の周縁部は背フレームとの取付け部を除いて空間になっているため、人は座の周縁のどの部位に手を掛けても安全に回動操作することができる。従って、座を回動操作するに際して人の負担を軽減できる（従って、一種のユニバーサルデザインが実現していると言える。）。
【００１７】
特許文献１では座受けブラケットは後足のボス部に対して左右内側からねじ込まれたボルトで取付けられており、また、座受けブラケットには上方から座フレームが重なっており、従って、座受けブラケットを取り付けるためのボルトが外部に露出することはない。しかし、座受けブラケットを覆うカバーは外側に露出している。
【００１８】
これに対して本願の請求項４の発明では、芯部材はアウターカバーの内部において背フレームの横向き支軸に取付けられており、従って、座を跳ね上げた状態では横向き支軸がアウターカバーの穴から部分的に露出するのみでそれ以外の部材がアウターカバーの外側に露出することはない。このため、座を跳ね上げた状態で人目に触れるのは実質的にはアウターカバーの下面のみであり、このため外観は極めてスッキリとしている。この点、請求項４の優れた利点である。
【発明を実施するための最良の形態】
【００１９】
(1).椅子の基本構成
次に、本願発明の実施形態を図面に基づいて説明する。まず、図１〜図５に基づいて椅子の基本構成を説明する。図１は全体の斜視図、図２のうち（Ａ）は正面図で（Ｂ）は平面図で（Ｃ）は側面図、図３は底面図、図４はネスティング状態を示す側面図、図５は分離正面図である。
【００２０】
椅子は、主要要素として脚１と背フレーム２と座３と背もたれ４を備えており、座３と背もたれ４とは背フレーム２に取付けられている。脚１と背フレーム２とで請求項に記載した枠装置（骨組み）が構成されている。また、背フレーム２にはオプション品としての肘掛け５も取付けている。背フレーム２は脚１の上端に固着されており、座３は脚１よりも上方の部位において後部を中心に跳ね上げ回動し得るように背フレーム２に取付けられている。従って、脚１の上端と倒した状態の座３との間にはある程度の寸法（例えば数ｃｍ〜１０ｃｍ程度）の空間６が空いている。
【００２１】
脚１は、左右２本の前足７と左右２本の後足８とを有している。各足７，８の上端は水平部７ａ，８ａになっていて下端は下鉛直部７ｂ，８ｂになっており、自由端である下端（先端）の鉛直部７ｂ，８ｂにキャスタ９を取付けている。
【００２２】
前足７は、上水平部７ａと下鉛直部７ｂとを除いた大部分が側面視では後傾姿勢で正面視では上から下に向けて外側に広がる傾斜姿勢になっており、従って、左右の前足７は正面視ハの字の形態になっている。また、後足８は、上水平部８ａと下鉛直部８ｂとを除いた大部分が側面視では後傾姿勢で正面視では上から下に向けて外側に広がる傾斜姿勢になっており、従って、左右の後足８は正面視（或いは背面視）でハの字の形態になっている。従って、図３から理解できるように各足７，８は平面視（或いは底面視）で概ね放射方向に延びている。
【００２３】
左右の前足７と左右の後足８とはそれぞれ上水平部７ａ，８ａを含む収束部７ｃ，８ｃを介して一体に連結（結合）されており、前足７の収束部７ｃと後足８の収束部８ｃとは互いに固着されている。従って、前足７と後足８とで側面視でＶ形（或いはくの字形）の形態が構成されている。収束部７ｃ，８ｃにはカバー１０を設けている。
【００２４】
各足７，８は、一端と他端とがストレートで大部分はテーパ状になっている金属パイプを材料にして製造されており、テーパ部と大径のストレート部を楕円形に潰し変形している。
【００２５】
例えば図２（Ａ）から明らかなように、前足７の間隔は後足８の左右間隔よりも全体に小さくなっている。このように前足７の間隔が後足８の間隔よりも小さいことにより、座３を跳ね上げると図４に示すように多数の椅子を前後に並べてネスティングすることがでいる。すなわち、前に位置した椅子における左右後足８の間に後ろに位置した椅子の前足７を嵌め入れることができる。なお、前足７の左右間隔を後足８の左右間隔よりも大きくすることも可能である。
【００２６】
背フレーム２は、座３の左右外側に配置された２本のサイド支柱２ａとこれらの下端に連続した傾斜部２ｂと傾斜部２ｂに連続した下水平部２ｃとを有しており、全体として正面視Ｕ字状の形態になっている（傾斜部２ｂはサイド支柱２ａの一部と観念することも可能である。）。背フレーム２は断面楕円形のパイプ（オーバル管）から成っており、サイド支柱２ａの箇所では前後に長い楕円形になっている。
【００２７】
背フレーム２はその全体が側面視で後傾姿勢になっており、下水平部２ｃが前後足７，８の収束部７ｃ，８ｃに溶接によって固着されている（具体的な構造は後述する）。また、背フレーム２における左右サイド支柱２ａの上端には支持ピン１１を上向きに突設しており、この支持ピン１１を利用して肘掛け５と背もたれ４とを取付けている。
【００２８】
背もたれ４は、前記支持ピン１１に嵌め込み装着されたアウター部材１２と、アウター部材１２の前面のうち略下半分を覆うアウターカバー１３と、アウター部材１２の前面のうち略上半分を覆う上カバー１４とを主要部材としている。アウター部材１２の上半部には大きな窓穴１５が空いている一方、上カバー１４は後ろ向き荷重によって容易に延び変形し得るエラストマー材からなっており、このため着座した人に高いクッション性を付与できる。アウター部材１２の上端と上カバー１４との間には、上カバー１４が延び変形することを許容するための隙間が空いている（上カバー１４の延び変形はアウター部材１２の上端部で記載される）。
【００２９】
アウター部材１２とアウターカバー１３とはＰＰのような樹脂からなっており、アウターカバー１３は基本的には背もたれ荷重で変形はしない。なお、上下のカバー１３，１４を使用せずに樹脂製のインナーシェルにクッションを張った構造とすること、アウターカバー１３を使用せずにアウター部材１２に上カバー１４のみを取り付けること、或いは、アウター部材１２を窓穴１５が存在しない形態にしてこれにクッションを張るといったことも可能である。
【００３０】
左右のサイド支柱２ａの下端部には相対向する横向き支軸１６を突設しており、座３はこの横向き支軸１６に跳ね上げ回動自在に連結されている。他方、座３の下面は樹脂製のアウターカバー１７で構成されている。座３はその後部を中心にして回動するので、着座によって座３には大きなモーメントが作用する。そこで、座３のうち回動中心よりも手前側の部分が、背フレーム２から斜め前向きに延びる左右長手のサポート体１８で支持されている。サポート体１８は背フレーム２に溶接されている。
【００３１】
(2).座の詳細
次に、座３の構造を図６以下も参照して説明する。図６は平面図、図７は座３の一部省略平面図、図８は図６の VIII-VIII視断面図、図９のうち（Ａ）は図６の IX-IX視分離断面図で（Ｂ）は座３の前部における図６の IX-IX視断面図、図１０は座３の後部の縦断側面図、図１１のうち（Ａ）は図１０の XI-XI視断面図、（Ｂ）は（Ａ）のＢ−Ｂ矢視図である。
【００３２】
座３は、例えば図９から理解できるように、既述のアウターカバー１７と、その上方に配置した樹脂製のインナーシェル２０と、インナーシェル２０の上面に張ったクッション２１と、インナーシェル２０とアウターカバー１７との間に配置された金属製芯部材２２とを備えている。クッション２１にはクロス等の表皮が張られているが図面では省略している。
【００３３】
インナーシェル２０とアウターカバー１７とはほぼ同じ平面形状であり、基本的には四角形に近い形状になっている。正確に述べると、四角形を基本としつつ、後部の左右幅が前部の左右幅よりもやや小さく、また、前端と後端とは平面視で緩く湾曲している。言うまでもないが、座３の平面形状はデザイン等の要請に応じて任意に設定できる。
【００３４】
インナーシェル２０には着座による下向き荷重による延び変形を許容するための多数のスリットが形成されている。スリットの具体的な形態は例えば本願出願人の出願に係る特開２００３−８８４４２号公報の図９に開示されているのと同様であり、インナーシェル２０の左右中間部に形成された前後長手のセンタースリットの群と、インナーシェル２０の左右側部に形成された前後長手のサイドスリットの群と、センタースリットの群とサイドスリットの群との間に位置した傾斜姿勢のメインスリットの群とが構成されている。本願図面の図９ではセンタースリットを符号２３で表示しており、他の図面ではスリットは省略している。
【００３５】
インナーシェル２０は正面視ではやや上向き凹状に緩く湾曲しており、また、前部は下方に回り込んでいる。他方、アウターカバー１７は、左右側部が外向き凸状に緩く湾曲しながら立ち上がっており、このため正面視で上向き凹の浅い皿状（スコップのような形状）になっている。そして、インナーシェル２０の周縁とアウターカバー１７の周縁とは互いに当接しているが、インナーシェル２０の撓み深さよりもアウターカバー１７の深さを大きくすることにより、インナーシェル２０とアウターカバー１７との間には大きな空間が空いており、この空間に芯部材２２が配置されている。
【００３６】
図６や図７に示すように、芯部材２２は前後長手のサイドメンバー２２ａと略作用横長のフロントメンバー２２ｂ及びリアメンバー２２ｃと左右のサイドメンバー２２ａの相互間に連結された横長の中間メンバー２２ｄとで略日字状になっている。中間メンバー２２ｄは請求項２に記載した受け部に相当する。なお、リアメンバー２２ｃを備えずに平面視門形に形成することも可能である。
【００３７】
芯部材２２における左右のサイドメンバー２２ａは互いに平行に延びている。サイドメンバー２２ａとリアメンバー２２ｃとはアウターカバー１７の外周にかなり近接しているが、フロントメンバー２２ｂとアウターカバー１７の前端との間にはやや大きな間隔が空いている。フロントメンバー２２ｂとアウターカバー１７の前端との間にはややおおきな間隔を空けているのは、座３の前部にはあまり大きな荷重が掛からないからである。
【００３８】
例えば図８から理解できるように、芯部材２２を構成するサイドメンバー２２ａとフロントメンバー２２ｂとは小判形の金属パイプをコ字状に曲げることで構成されている一方、リアメンバー２２ｃは金属棒材（或いは線材）からなっており、リアメンバー２２ｃの左右端部はサイドメンバー２２ａの後端部に差し込まれて一体に溶接されている。勿論、フロントメンバー２２ｂとサイドメンバー２２ａとリアメンバー２２ｃとを１本のパイプで構成することも可能である。
【００３９】
中間メンバー２２ｄは丸パイプから成っており、左右両端がサイドメンバー２２ａに内側面に溶接されている。中間メンバー２２ｄは座３のうち前後中心部よりもやや後方の部位に配置されている。換言すると、中間メンバー２２ｄは、着座した人の臀部が当たる箇所（最も大きな荷重が作用する箇所）に配置されている。
【００４０】
芯部材２２のサイドメンバー２２ａとリアメンバー２２ｃとはアウターカバー１７の上端近くに位置しており、他方、フロントメンバー２２ｂはサイドメンバー２２ａの前端よりも下方に落ち込んでおり、フロントメンバー２２ｂでインナーシェル２０の前部を支持している。従って、フロントメンバー２２ｂの箇所ではインナーシェル２０は沈み込み変形はしない。
【００４１】
図１１（Ａ）に示すように、芯部材２２におけるサイドメンバー２２ａの後部は背フレーム２に設けた横向き支軸１６にボルト２４で連結されている（従って、横向き支軸１６には雌ねじ穴が空いており、芯部材２２のサイドメンバー２２ａにはボルト挿通穴が空いている。）。従って、座３は横向き支軸１６の軸心回りに回動する。ボルト２４のうち横向き支軸１６とサイドメンバー２２ａとの間には樹脂製のワッシャ２５が嵌まっている。これは座３を回動させるに際して金属音の発生を防止するためのものである。
【００４２】
アウターカバー１７には横向き支軸１６との干渉を回避するための逃がし穴２６が空いている。また、アウターカバー１７のうち逃がし穴２６の箇所には横向き支軸１６を下方から半周程度囲う外向きリブ１７ａが一体に形成されている。このため座３を跳ね上げた状態で横向き支軸１６の露出面積をできるだけ小さくして美観向上に貢献している（アウターカバー１７の取付けに際しては、左右いずれかの横向き支軸１６に一杯に差し込んでから、アウターカバー１７を逆方向にずらして他方の横向き支軸１６に嵌め込む。）。
【００４３】
本実施形態では、アウターシェル１３の外向きリブ１７ａの適当な部位に半径内向きの可動ストッパー１７ｂを設ける一方、横向き支軸１６の外周には座３を一杯に跳ね上げると可動ストッパー１７ｂが当たる固定ストッパー１６ａを設けている。つまり、リブ１７ａは座３の跳ね上げ回動姿勢を規制するストッパー手段に兼用されている。ストッパー手段としては、リブ１７ａの上端面を固定ストッパー１６ａに当てることも可能である。また、固定ストッパー１６ａは横向き支軸１６に一体に形成しても良いし、ビスを利用しても良い。
【００４４】
インナーシェル２０の前部下面には、芯部材２２のフロントメンバー２２ｂに前方から当接する前リブ２８が一体に形成されており、前リブ２８にはフロントメンバー２２ｂに下方から当接する前ストッパー２９を一体に設けている。前リブ２８は左右中間部と左右２カ所とに設けている（配置箇所は任意に設定できる）。
【００４５】
芯部材２２のフロントメンバー２２ｂとアウターカバー１７との間には若干の間隔が空いており、そこで、アウターカバー１７のうち中間の前リブ２８を挟んだ両側には、フロントメンバー２２ｂを受ける前突起３０を左右一対ずつ一体に設けている。前突起３０には、アウターカバー１７を前向き移動不能に保持する上向きストッパー部３０ａが形成されている。
【００４６】
図９及び図１０に示すように、インナーシェル２０の後部には、芯部材２２のリアメンバー２２ｃに前方から嵌まってインナーシェル２０を上向き動不能に保持するＬ形の後部リブ３１と、インナーシェル２０の前向き動を規制する後部ストッパー３２が一体に形成されている。後部ストッパー３２は左右中間部に形成されており、後部リブ３１は後部ストッパー３２を挟んだ左右両側に形成されている。
【００４７】
図８に示すように、インナーシェル２０の左右側部には、当該インナーシェル２０の左右端部を固定する固定手段の一例として、芯部材２２におけるサイドメンバー２２ａの外側面に重なる下向きサイドリブ３３が一体に形成されており、この下向きサイドリブ３３の上端近くに、略水平状の外向きサイドリブ３４を一体に形成している。他方、アウターカバー１７には、インナーシェル２０の外向きサイドリブ３４に上方から重なる内向きサイドリブ３５を一体に形成している。外向きサイドリブ３４と内向きサイドリブ３５とはインナーシェル２０とアウターカバー１７とを上下動不能に保持する係合手段の一例を構成している。
【００４８】
インナーシェル２０に下向きサイドリブ３３を設けていることにより、インナーシェル２０はその左右側縁が内向き動不能に保持されており、これにより、インナーシェル２０が着座によって沈み込み変形することが許容されている。また、アウターカバー１７の内向きサイドリブ３５がインナーシェル２０の外向きサイドリブ３４に上から重なっていることにより、アウターカバー１７の左右側縁部が下向き動することが阻止されていて、アウターカバー１７の側縁がインナーシェル２０の側縁にきっちり重なっている状態が保持されている。
【００４９】
図６，７，９から理解できるように、下向きサイドリブ３３と外向きサイドリブ３４と内向きサイドリブ３１とのセットは前後に２箇所設けているが、１カ所のみ又は３箇所以上設けることも可能である（１カ所の場合は前後長さを長くしたら良い。）。
【００５０】
図８に示すように、中間メンバー２２ｄはアウターカバー１７の下面に重なるように正面視で上向き凹状に曲がっている。従って、中間メンバー２２ｄとインナーシェル２０との間には間隔が空いており、これによってインナーシェル２０の沈み込み変形が許容されている。そして、アウターカバー１７には中間メンバー２２ｄの水平部を支持する支持リブ３６の群が左右に適宜間隔で形成されており、かつ、左右端部の支持リブ３２の箇所においてアウターカバー１７は下方から中間メンバー２２ｄにねじ込んだビス３７で固定されている。
【００５１】
アウターカバー１７と芯部材２２とはビス３７で一体化しており、かつ、インナーシェル２０は外向きサイドリブ３４と前ストッパー２９とによって上向き動不能に保持されており、また、後部ストッパー３２が芯部材２２のリアメンバー２２ｃに後方から当接していることでインナーシェル２０は前向き動不能に保持されている。インナーシェル２０の後部を起こしてリアメンバー２２ｃに対する後部ストッパー３２の係合を解除すると、インナーシェル２０は手前に引き出して取り外すことができる。
【００５２】
図９に示すように、アウターカバー１７のうち支持リブ３６の下方の部分には下向き凹で左右横長の円弧溝３８が形成されており、背フレーム２に設けたサポート体１８が円弧溝３８に嵌まるようになっている。
【００５３】
(3).まとめ
以上のとおり、本実施形態では、座３の下面はアウターカバー１７で構成されているため、跳ね上げた状態では基本的には座３しか人目に触れず、芯部材２２等の内部構造は全く人目に触れないため美観に優れている。また、芯部材２２を有していることと、芯部材２２がアウターカバー１７を介してストッパー２８で支持されていることにより、高い支持強度が確保されている。
【００５４】
座３の組み付けに当たっては、予め芯部材２２にアウターカバー１７をビス３７で固定しておいてから、まず、芯部材２２付きのアウターカバー１７を上方からずらすことで穴２６に横向き支軸１６を嵌め入れ、次いで、ボルト２４を内側から横向き支軸１６にねじ込む。
【００５５】
次いで、インナーシェル２０を前方から奥に向けてスライドさせることにより、外向きサイドリブ３４を内向きサイドリブ３５の下方に嵌め入れるもので、インナーシェル２０を押し込み切ると、インナーシェル２０の後部ストッパー３２が弾性に抗しての変形によって芯部材２２におけるリアメンバー２２ｃの後ろ側に位置し、これによってインナーシェル２０は前後左右にずれ不能に保持される。取り外す手順は既述のとおりである。
【００５６】
そして、インナーシェル２０を取り付けると芯部材２２やボルト２４のような内部部材は外からは全く見えず、このため跳ね上げた状態においてもスッキリした外観を呈していて見た目が良い。
【００５７】
本実施形態では、脚１と座３との間に間隔が空いており、しかも、脚１を構成する足７，８は正面視及び側面視で傾斜しているため、脚１のボリュームは特許文献１に比べて格段に小さくなっており、このため人が圧迫感や窮屈感を受けることを著しく抑制できる。また、座３の左右側部と脚１との間には大きな空間６が空いているため、人が椅子の横を通るに際して鞄類が足７，８に引っ掛かる現象を著しく抑制できる。
【００５８】
また、背フレーム２と後足８とは側面視でくの字の形態になっており、これによって座３と後足８との間には大きな空間が空いているため、椅子の列と列との間を人が通るに際して鞄類が後足８に当たったり引っ掛かったりすることを著しく抑制できる。更に、背フレーム２が後傾して後足８が前傾しているため、座３の後面部には大きな後ろ向き空間が空いており、このため人が椅子の後ろの通路を歩くに際して鞄類が後足に引っ掛かることを防止できたり、椅子を多列に配置した場合において２列目以降の椅子に腰掛けた人が足を組み易くなるといった利点がある。
【００５９】
そして、仮に座３がその後端を中心に回動すると、人が着座した状態で座３には大きなモーメントが作用するが、本実施形態では座３の後部は背フレーム２におけるサイド支柱２ａの後方に部分的にはみ出ており、座３はその後端よりも手前の部分においてサイド支柱２ａに連結されているため、座３に作用するモーメントは特許文献１に比べて短くなっている。従って、座３の後方に後ろ向きの空間を空けることで他人への配慮が成されている椅子でありながら、高い支持強度を確保できるのである。人の体圧が最も強くかかる部分がサポート体１８で下方から支持されていることも、強度確保に貢献している。
【００６０】
本実施形態のようにアウターカバー１７の下面にサポート体１８が嵌まる溝３８を形成すると、サポート体１８が円形であってもサポート体１８とアウターカバー１７とが面接触になるため圧痕の発生を防止又は著しく抑制できる利点や、仮に圧痕ができても目立たないという利点がある。なお、サポート体１８にエラストマー等の軟質材を装着することも可能である。
【００６１】
(4).その他
本願発明は上記の実施形態の他にも様々に具体化できる。例えば、芯部材は板金品やダイキャスト品にするなど形態や素材は自由に設定できる。枠装置の形態も実施形態に限定されるものではなく、特許文献１のように脚が側面視で下向き開口コ字状状に形成された椅子、或いは、脚が正面視で下向き開口コ字状状に形成された椅子にも適用できる。また、本願発明は移動自在なネスティング椅子に好適であるが、劇場用椅子や競技場用椅子のような移動不能な跳ね上げ式椅子にも適用可能である。
【図面の簡単な説明】
【００６２】
【図１】第１実施形態に係る椅子の斜視図である。
【図２】（Ａ）は正面図で（Ｂ）は平面図で（Ｃ）は側面図である。
【図３】椅子の底面図である。
【図４】ネスティング状態を示す側面図である。
【図５】椅子の分離正面図である。
【図６】座を中心にした部分の平面図である。
【図７】インナーシェルとクッションとを省略した平面図である。
【図８】図６の VIII-VIII視断面図である。
【図９】（Ａ）は図６の IX-IX視分離断面図で（Ｂ）は座の前部における図６の IX-IX視断面図である。
【図１０】座の後部の縦断側面図である。
【図１１】図１０の XI-XI視断面図である。
【符号の説明】
【００６３】
１  枠装置を構成する脚
２  枠装置を構成する背フレーム
２ａ  サイド支柱
３  座
４  背もたれ
１６  横向き支軸
１７  座のアウターカバー
１８  サポート体
２０  インナーシェル
２１  クッション
２２  芯部材
２４  連結用のボルト
２６  アウターカバーの逃がし穴
【図１】
2009106422.tif 000003
【図２】
2009106422.tif 000004
【図３】
2009106422.tif 000005
【図４】
2009106422.tif 000006
【図５】
2009106422.tif 000007
【図６】
2009106422.tif 000008
【図７】
2009106422.tif 000009
【図８】
2009106422.tif 000010
【図９】
2009106422.tif 000011
【図１０】
2009106422.tif 000012
【図１１】
2009106422.tif 000013